(57)【要約】  【課題】映像信号が入力されていない期間は、画面がブラックバック表示される液晶テレビジョン受像機において、そのことを利用して、省エネモードを選択した時に、ユーザが画面の輝度の低下にほとんど気付くことがなく、徐々に一定の低輝度に調整され、ユーザが省エネモードを敬遠することが少なく、消費電力を抑制できるようにする。  【解決手段】省エネモードへ切替えた時点では、標準の電圧Ａが供給されて標準の輝度になっており、映像信号の入力が停止した時点ｔ１で、画面がブラックバック表示になると共に、蛍光管への供給電圧が予め設定された低下幅の制限値ｄになるまで急速に低下される。以後、映像信号が入力されていない期間ＮＳは、この電圧値が維持され、再び映像信号が入力される時点ｔ２でも、この電圧値が維持される。映像信号の入力が停止する毎に同様の動作を繰り返し、省エネモード時輝度Ｂに達するまで画面の輝度が徐々に低下される。【選択図】  図３
2006270412.tif 000002
【特許請求の範囲】
【請求項１】
映像信号入力の有無を検出し、映像信号が入力されていないことが検出されている期間は、画面をブラックバック表示にするダークバック表示手段と、蛍光管等のバックライト照明のパワーを増減することにより画面の輝度を増減する輝度調整手段と、予め設定された標準よりも低めの輝度を記憶する省エネルギーモード時輝度記憶手段とを備え、映像信号が入力されていない期間は、画面がブラックバック表示になり、ユーザが省エネルギーモードを選択すると、前記輝度調整手段が動作して、画面の輝度が前記省エネルギーモード時輝度記憶手段に記憶された一定の低輝度に調整される液晶テレビジョン受像機において、
ユーザが省エネルギーモードを選択した後に、前記ダークバック表示手段によって画面がブラックバック表示にされているか否かを検出するダークバック表示検出手段と、
前記ダークバック表示検出手段によって画面がブラックバック表示にされていないと判断される期間は、前記輝度調整手段を非能動にし、ブラックバック表示にされていると判断される期間は、前記輝度調整手段を能動にする輝度調整期間制御手段と、
前記輝度調整期間制御手段により前記輝度調整手段が能動にされる連続した１期間内に、前記輝度調整手段が実行する輝度調整幅の制限値として、第１の制限値と、第１の制限値よりも大きい第２の制限値とを記憶する制限値記憶手段と、
前記連続した１期間の長さが、所定の長さを超えたか否かを検出する輝度調整期間長判定手段とを備え、
前記輝度調整手段は、前記輝度調整期間長判定手段により、前記連続した１期間が、所定長さを超えていないと判定されている間は、その連続した１期間の初期において輝度を急速に落とし、その調整幅が前記制限値記憶手段に記憶された第１の制限値に到達すると、到達した輝度を維持し、その後、前記輝度調整期間長判定手段により所定長さを超えたと判定されると、前記制限値記憶手段に記憶された第２の制限値を限度として輝度を逓減させることを特徴とする液晶テレビジョン受像機。
【請求項２】
映像信号入力の有無を検出し、映像信号が入力されていないことが検出されている期間は、画面をブラックバック又はブルーバック表示にするダークバック表示手段と、蛍光管等のバックライト照明のパワーを増減することにより画面の輝度を増減する輝度調整手段と、予め設定された標準よりも低めの輝度を記憶する省エネルギーモード時輝度記憶手段とを備え、映像信号が入力されていない期間は、画面がブラックバック又はブルーバック表示になり、ユーザが省エネルギーモードを選択すると、前記輝度調整手段が動作して、画面の輝度が前記省エネルギーモード時輝度記憶手段に記憶された一定の低輝度に調整される液晶テレビジョン受像機において、
ユーザが省エネルギーモードを選択した後に、前記ダークバック表示手段によって画面がブラックバック又はブルーバック表示にされているか否かを検出するダークバック表示検出手段と、
前記ダークバック表示検出手段によって画面がブラックバック又はブルーバック表示にされていないと判断される期間は、前記輝度調整手段を非能動にし、ブラックバック又はブルーバック表示にされていると判断される期間は、前記輝度調整手段を能動にする輝度調整期間制御手段とを備え、
前記輝度調整期間制御手段により能動にされる連続した１期間における輝度調整幅が制限値を有することを特徴とする液晶テレビジョン受像機。
【請求項３】
前記ダークバック表示手段は、映像信号が入力されていないことが検出されている期間は、画面をブラックバック表示にし、
前記輝度調整手段は、前記連続した１期間の初期において輝度を急速に落とし、前記輝度調整幅の制限値に到達すると、到達した輝度を維持することを特徴とする請求項２に記載の液晶テレビジョン受像機。
【発明の詳細な説明】
【技術分野】
【０００１】
本発明は、液晶テレビジョン受像機に関し、詳しくは、ユーザが省エネルギーモード（以下、省エネモード）を選択すれば画面の輝度が標準よりも低めの輝度に自動調整される液晶テレビジョン受像機に関する。
【背景技術】
【０００２】
省エネモードを備えたテレビジョン受像機では、ユーザが省エネモードを選択すると、画面の輝度が予め設定された標準より低めの輝度に自動調整される。液晶テレビジョン受像機の場合には、バックライト照明を行う蛍光管への供給電圧が低下して消費電力が抑制できると共に、蛍光管自身の寿命も延ばすことができる。
【０００３】
一方、液晶テレビジョン受像機の消費電力を抑制したり、蛍光管の寿命を延ばすために、外部入力端子にコネクタが差込まれているか否かを判断し、コネクタが差込まれていない期間は、蛍光管を減光し、コネクタが差込まれている期間は元の明るさに戻す技術が知られている（例えば、特許文献１参照）。
【０００４】
【特許文献１】特開２００３−３１６３２５号公報
【発明の開示】
【発明が解決しようとする課題】
【０００５】
上述のとおり、液晶テレビジョン受像機において省エネモードを選択すれば、消費電力を恒常的に抑制でき（蛍光管への供給電圧は標準時の６０％程度となる）、蛍光管の寿命を延ばすこともできるのであるが、従来は次の事情があることにより、一般ユーザにおいて省エネモードを敬遠する傾向があった。
【０００６】
つまり、省エネモードを選択する時には、ユーザは、通常、液晶テレビジョン画面を見ながら手元のリモコン等の操作でモードの切替えを行うのであるが、省エネモードに切替えると、瞬時に画面の輝度が４０％程度低下し、直前まで標準あるいは標準付近の明るさの画面を見ていたユーザにとっては、モード切替え後の画面は物理的明るさよりもはるかに暗く感じられる。従って、ユーザによっては、一旦省エネモードへ切替えたモードを再び標準のモードへ戻す傾向がある。要するに、人間が感じる明るさの感覚は、対象となる画面そのものの物理的輝度ではなく、変更される前の画面の輝度との差によって左右されると共に、輝度の変化の速度によっても左右されるのであるが、従来の液晶テレビジョン受像機における省エネモードへの切替え時の輝度調整は、上記事情を考慮しないものであったために、省エネモードへ変更後の画面がユーザにとって実体以上に暗く不鮮明なものに感じられ、結果省エネモードが敬遠されていた。
【０００７】
そこで、本発明は、人間の明るさに関する感覚のメカニズムを考慮すると共に、映像信号が入力されていない場合には画面全面がブラックバック又はブルーバックといったダークカラーに設定される機能を利用して、ユーザが省エネモードを選択した時に、ユーザが画面の輝度の低下にほとんど気付くことがなく、徐々に一定の低輝度へと調整され、従って、ユーザが省エネモードを敬遠することが少なく、ひいては消費電力が少なくなり、蛍光管の寿命を延ばすことが可能な液晶テレビジョン受像機を提供することを目的とする。
【課題を解決するための手段】
【０００８】
上記目的を達成するために、請求項１の発明は、映像信号入力の有無を検出し、映像信号が入力されていないことが検出されている期間は、画面をブラックバック表示にするダークバック表示手段と、蛍光管等のバックライト照明のパワーを増減することにより画面の輝度を増減する輝度調整手段と、予め設定された標準よりも低めの輝度を記憶する省エネルギーモード時輝度記憶手段とを備え、映像信号が入力されていない期間は、画面がブラックバック表示になり、ユーザが省エネルギーモードを選択すると、前記輝度調整手段が動作して、画面の輝度が前記省エネルギーモード時輝度記憶手段に記憶された一定の低輝度に調整される液晶テレビジョン受像機において、ユーザが省エネルギーモードを選択した後に、前記ダークバック表示手段によって画面がブラックバック表示にされているか否かを検出するダークバック表示検出手段と、前記ダークバック表示検出手段によって画面がブラックバック表示にされていないと判断される期間は、前記輝度調整手段を非能動にし、ブラックバック表示にされていると判断される期間は、前記輝度調整手段を能動にする輝度調整期間制御手段と、前記輝度調整期間制御手段により前記輝度調整手段が能動にされる連続した１期間内に、前記輝度調整手段が実行する輝度調整幅の制限値として、第１の制限値と、第１の制限値よりも大きい第２の制限値とを記憶する制限値記憶手段と、前記連続した１期間の長さが、所定の長さを超えたか否かを検出する輝度調整期間長判定手段とを備え、前記輝度調整手段は、前記輝度調整期間長判定手段により、前記連続した１期間が、所定長さを超えていないと判定されている間は、その連続した１期間の初期において輝度を急速に落とし、その調整幅が前記制限値記憶手段に記憶された第１の制限値に到達すると、到達した輝度を維持し、その後、前記輝度調整期間長判定手段により所定長さを超えたと判定されると、前記制限値記憶手段に記憶された第２の制限値を限度として輝度を逓減させることを特徴とする。
【０００９】
請求項２の発明は、映像信号入力の有無を検出し、映像信号が入力されていないことが検出されている期間は、画面をブラックバック又はブルーバック表示にするダークバック表示手段と、蛍光管等のバックライト照明のパワーを増減することにより画面の輝度を増減する輝度調整手段と、予め設定された標準よりも低めの輝度を記憶する省エネルギーモード時輝度記憶手段とを備え、映像信号が入力されていない期間は、画面がブラックバック又はブルーバック表示になり、ユーザが省エネルギーモードを選択すると、前記輝度調整手段が動作して、画面の輝度が前記省エネルギーモード時輝度記憶手段に記憶された一定の低輝度に調整される液晶テレビジョン受像機において、ユーザが省エネルギーモードを選択した後に、前記ダークバック表示手段によって画面がブラックバック又はブルーバック表示にされているか否かを検出するダークバック表示検出手段と、前記ダークバック表示検出手段によって画面がブラックバック又はブルーバック表示にされていないと判断される期間は、前記輝度調整手段を非能動にし、ブラックバック又はブルーバック表示にされていると判断される期間は、前記輝度調整手段を能動にする輝度調整期間制御手段とを備え、前記輝度調整期間制御手段により能動にされる連続した１期間における輝度調整幅が制限値を有することを特徴とする。
【００１０】
請求項３の発明は、請求項２の発明において、前記ダークバック表示手段は、映像信号が入力されていないことが検出されている期間は、画面をブラックバック表示にし、前記輝度調整手段は、前記連続した１期間の初期において輝度を急速に落とし、前記輝度調整幅の制限値に到達すると、到達した輝度を維持することを特徴とする。
【発明の効果】
【００１１】
本発明によれば、ユーザが省エネモードを選択した時に、直ちにバックライト照明のパワーを落とすのではなく、その後に画面がブラックバック表示又はブルーバック表示になっている期間に所定の制限値内で段階的に輝度を低下させていくので、ユーザが画面の輝度の低下に気付くことが少なく、従って、ユーザが省エネモードを敬遠することが少なくなり、ひいては消費電力が少なくなり、蛍光管の寿命を延ばすことができる。
【発明を実施するための最良の形態】
【００１２】
以下、本発明の実施形態に係る液晶テレビジョン受像機について図面を参照して説明する。図１は、本実施形態の液晶テレビジョン受像機の電気的ブロック構成を示す。アンテナ１及びチューナ２で受信された映像信号ａは、外部信号入力３との切替えスイッチ４を介して映像信号処理回路５へ入力され、変調、増幅等の所定の処理を施されて液晶パネル６へ画像として出力される。液晶パネル６の画面は蛍光管等のバックライト照明７によって輝度を付与される。バックライト照明７のパワーは、そのインバータ回路８がマイクロコンピュータから成る制御部９により制御されることによって増減調整される。映像信号処理回路５は、入力される信号ａに同期信号が有るか否かを検出し、その検出結果を制御部９へ出力する。制御部９には、リモコン１１からの光信号の受信部１２が接続され、リモコン１１から発信された電源オン信号や、省エネモードへのモード切替信号が光信号受信部１２を介して制御部９に入力される。また、制御部内のメモリ１３には、省エネモードへ切替えられた時の標準よりも低めの輝度（以下、省エネモード時輝度）と、後に詳述する１回の輝度調整時に可能な輝度の調整幅の制限値が、それぞれ電圧値として記憶されている。
【００１３】
次に、制御部９による輝度調整制御手順について図２のフローチャートを参照して説明する。ユーザがリモコン１１の操作によって液晶テレビジョン受像機のモードを省エネモードへ切替えると、モード切替信号が制御部９に入力されて、制御部９は省エネモードが選択されたことを認識する（Ｓ１）。なお、省エネモードへの切替えは、液晶テレビジョン受像機の本体に備えられたキー（不図示）を操作することによって行われるものであってもよいし、液晶パネル６の画面にメニューを表示して、リモコン１１のキー操作により画面上のカーソルを移動させることによって行うものであってもよい。
【００１４】
制御部９は、省エネモードが選択されたことを認識すると（Ｓ１でＹＥＳ）、映像信号処理回路５からの映像信号入力有無の検出結果の信号により、映像信号が入力されていると判断された場合（Ｓ２でＹＥＳ）には、輝度調整を行わない（Ｓ３）。つまり、バックライト照明７の蛍光管へ供給する電圧を変更せず、現状の電圧を維持する。映像信号が入力されていないと判断された場合（Ｓ２でＮＯ）には、制御部９は、映像信号処理回路内のメモリに格納されているブラックバック表示信号を出力させ、液晶パネル６の画面をブラックバック表示にし（Ｓ４）、急速に輝度調整を行う（Ｓ５）。つまり、蛍光管へ供給する電圧を急速に低下させる。輝度を低下させる（蛍光管への電圧を低下させる）過程で、輝度が省エネモード時輝度に到達した場合には（Ｓ６でＹＥＳ）、その到達した輝度（電圧値）を維持する（Ｓ７）。省エネモード時輝度に到達していない場合には（Ｓ６でＮＯ）、さらに、輝度の低下幅（電圧の低下幅）が調整幅の制限値に達しているか否か判断し、制限値に達していなければ（Ｓ８でＮＯ）、輝度の低下を続け、低下幅が調整幅の制限値に達していれば（Ｓ８でＹＥＳ）、その到達した輝度（電圧値）を維持する（Ｓ９）。そして、再びステップＳ２の判断に戻り、映像信号の入力の有無に応じた処理を行う。
【００１５】
次に、上述の手順に従った具体的な輝度（蛍光管への供給電圧）の変化の例について、図３を参照して説明する。図３において、ユーザが省エネモードに切替えた時点を基準にして、横軸に時間経過を表し、縦軸に蛍光管への供給電圧を表す。ユーザが省エネモードへ切替えた時点では、電圧Ａが供給されており、映像信号が入力されているとすると、電圧Ａは、映像信号の入力が停止するまで維持される。そして、映像信号の入力が停止した時点ｔ１で、画面がブラックバック表示になると共に、蛍光管への供給電圧が予め設定された低下幅の制限値ｄになるまで急速に低下される。その後、映像信号が入力されていない期間（輝度調整期間）ＮＳ内は、この電圧値が維持され、再び映像信号が入力される時点ｔ２でも、この電圧値が維持される。再び映像信号の入力が停止すると（ｔ３）、上記と同様にして輝度が低下される動作が繰返される。
【００１６】
そして、電圧Ａが急速に低下される間は、液晶パネル６の画面はブラックバック表示になっているので、ユーザが画面を見ていたとしても、輝度の低下に気付かず、しかも低下幅の制限値ｄは、次に具体的に説明するような値に設定してあるので、ブラックバック表示が終了して液晶パネル画面が通常の映像出力画面に戻った時点ｔ２で、ユーザがその画面を見たとしても輝度の低下に気付くことが少なく、あるいは、ユーザが気付いたとしても、ブラックバック表示になる以前の画面に比べて明らかに暗く不鮮明になったという印象を持たない。つまり、電圧Ａが液晶パネルに標準の輝度を与える電圧であり、電圧Ｂが省エネモード時輝度を与える電圧であったとすると、通常、電圧Ｂは、電圧Ａの６０％程度の値に設定されており、低下幅の制限値ｄは、電圧Ａの１０％以内程度に設定され、１回の輝度調整で大幅な低下がなされないようになっている。従って、通常は、４〜５回程度の輝度調整期間（ブラックバック表示期間）ＮＳを経て、輝度が徐々に低下され、省エネモード時輝度に到達する。以後は、その輝度（電圧Ｂ）が維持される。但し、低下幅の制限値ｄは、場合によっては、電圧Ａの１０％より大きな値あるいは小さな値に設定してもよい。
【００１７】
映像信号の入力が停止する原因としては、映像信号入力源をチューナ２と外部入力３との間で切替えるための切替えスイッチ４の切替え操作や、映像信号入力源がチューナ２である時に受信チャンネルの切替えを行う場合や、映像信号入力源がビデオテーププレーヤ等の外部入力３である場合に、ビデオテープが終端まで到達した場合等種々の原因がある。一般的に受信チャンネルの切替え時における映像信号入力の中断期間は、比較的短時間であるが、本実施形態のように、輝度調整期間ＮＳが開始されると同時に、急速に輝度を低下すれば、短い輝度調整期間ＮＳであっても、１回の輝度調整期間ＮＳにおいて、制限値ｄ程度の輝度低下幅が得られ、輝度の低下の進行が遅れる（多数回の輝度調整期間ＮＳを経ても輝度の十分な低下幅が得られない）という不具合が生じない。
【００１８】
反対に、輝度調整期間（ブラックバック表示期間）ＮＳが長い場合には、ユーザの、ブラックバック表示になる以前の画面の記憶が薄れるので、１回の輝度調整期間ＮＳにおける輝度の低下幅ｄを大きく設定することができる。その場合の例を、本発明の第２の実施形態として図４及び図５を参照して説明する。液晶テレビジョン受像機の電気的ブロック構成は、第１の実施形態と同一であり（但し、制御部９内のメモリ１３に記憶された１回の輝度調整時に可能な調整幅の制限値が、第１の制限値ｄ１と、第１の制限値よりも大きい第２の制限値ｄ２の２種類が、それぞれ電圧値として記憶される）、制御部９による輝度調整制御手順のみが異なるので輝度調整制御手順について説明する。また、この第２の実施形態の制御手順は、図４のフローチャートに示したようにステップＳ１１〜Ｓ１７までは、図２に示したフローチャートのステップＳ１〜７と同一内容であるので、説明を省略する。
【００１９】
図４のフローチャートにおいて、ステップＳ１６の判断により、省エネモード時輝度（電圧Ｂ）に達していないと判断されれば（Ｓ１６でＮＯ）、輝度低下幅が調整幅の第１の制限値ｄ１に達しているか否か判断し、第１の制限値ｄ１に達していなければ（Ｓ１８でＮＯ）、輝度の急速な低下を続け（Ｓ１５）、輝度低下幅が第１の制限値ｄ１に達していれば（Ｓ１８でＹＥＳ）、その到達した輝度（電圧値）を維持する（Ｓ１９）。そして、この輝度を維持している間に輝度調整期間（ブラックバック表示期間）ＮＳが所定時間経過すれば（Ｓ２０でＹＥＳ）、再び、輝度の調整（輝度を下げる処理）を再開する（Ｓ２１）。この再開後の輝度調整では、輝度調整期間ＮＳの初期におけるような急速な輝度低下ではなく、緩やかな輝度の逓減を行い、この緩やかな輝度逓減過程で、輝度が省エネモード時輝度に到達した場合には（Ｓ２２でＹＥＳ）、その到達した省エネモード時輝度に維持する（Ｓ２３）。省エネモード時輝度に到達していない場合には（Ｓ２２でＮＯ）、輝度低下幅が第２の制限値ｄ２に達しているか否か判断し、第２の制限値ｄ２に達していれば（Ｓ２４でＹＥＳ）、その到達した輝度を維持する（Ｓ２５）。輝度低下幅が第２の制限値ｄ２に達していない場合には（Ｓ２４でＮＯ）、輝度の緩やかな逓減を続行する（Ｓ２１）。
【００２０】
これを具体的な蛍光管への供給電圧の変化例として図５において示す。輝度調整期間（ブラックバック表示期間）ＮＳが開始されると、初期においてその低下幅が第１の制限値ｄ１になるまで輝度（電圧）が急速に低下され、到達した輝度で維持される。そして、輝度調整期間ＮＳの開始から所定時間Ｔが経過すると、その低下幅が第２の制限値ｄ２になるまで緩やかな輝度の低下が開始される。
【００２１】
所定時間Ｔは、ユーザの、ブラックバック表示になる以前の画面の明るさの記憶が薄れる時間であるので、相当に個人差がある。本液晶テレビジョン受像機では、この所定時間Ｔを数１０秒から数分の範囲に亘って種々の値に設定できる。また、第２の制限値ｄ２の大きさも同様に種々の値に設定できるが、所定時間Ｔの値を比較的大きい値に設定した場合には、ユーザによるブラックバック表示になる以前の画面の記憶が薄れる度合いが、それだけ大きいので、第２の制限値ｄ２も大きい値に設定することが可能である。いずれにしても、この第２の実施形態の液晶テレビジョン受像機では、輝度調整期間（ブラックバック表示期間）ＮＳが長い場合には、それを利用して大きな輝度の低下幅ｄ２が得られるので、ユーザに輝度が低下した実感を与えることなく、効率的に輝度を低下させることができる。
【００２２】
また、映像信号が入力されない時には、画面がブルーバック表示になる液晶テレビジョン受像機に本発明を適用する場合には、ブラックバック表示とは異なり、ユーザが画面に注視していれば、輝度調整期間ＮＳ内の輝度の急速な低下に気付く可能性があるので、輝度調整期間ＮＳの初期における輝度の低下をなるべく緩やかな速度に設定することが望ましい。その場合の具体的な蛍光管への供給電圧の変化例を図６に示す。
【００２３】
つまり、図６に示したように、輝度調整期間（ブルーバック表示期間）ＮＳｂが開始されると、輝度（電圧）が緩やかに低下され、その低下幅が制限値ｄに到達すると、その到達した輝度が維持される。そして、映像信号が入力されて画面に通常の画像が出力された後、再び輝度調整期間（ブルーバック表示期間）ＮＳｂが開始されると、再び輝度が緩やかに低下される。図６の例では、２回目の輝度調整期間ＮＳｂにおける輝度の低下は、低下速度が緩やかであるために、制限値ｄに達する以前に、輝度調整期間ＮＳｂの終了により中止されている。
【００２４】
このように、映像信号が入力されない期間の画面がブルーバック表示となる液晶テレビジョン受像機では、輝度の低下速度を緩やかにして、ユーザがブルーバック表示画面を注視する場合でも輝度の低下に気付きにくいようにできるが、数回の輝度調整期間を経れば所定の省エネモード時輝度にまで輝度が低下するように、適当な低下速度に設定することが望ましい。
【図面の簡単な説明】
【００２５】
【図１】本発明の第１の実施形態に係る液晶テレビジョン受像機の電気的ブロック構成を示す図。
【図２】同液晶テレビジョン受像機の輝度調整時の手順を示すフローチャート。
【図３】同蛍光管への供給電圧の変化を示す図。
【図４】同第２の実施形態に係る液晶テレビジョン受像機の輝度調整時の手順を示すフローチャート。
【図５】同蛍光管への供給電圧の変化を示す図。
【図６】同ブルーバック表示を行う液晶テレビジョン受像機に適する輝度調整時の蛍光管への供給電圧の変化を示す図。
【符号の説明】
【００２６】
５  映像信号処理回路
６  液晶パネル
７  バックライト照明
９  制御部（ダークバック表示手段、輝度調整手段、ダークバック表示検出手段、輝度調整期間制御手段、輝度調整期間長判定手段）
１３  メモリ（省エネルギーモード時輝度記憶手段、制限値記憶手段）
ＮＳ  輝度調整期間
ＮＳｂ  輝度調整期間
Ｔ  所定時間
ａ  映像信号
ｄ  制限値
ｄ１  第１の制限値
ｄ２  第２の制限値
【図１】
2006270412.tif 000003
【図２】
2006270412.tif 000004
【図３】
2006270412.tif 000005
【図４】
2006270412.tif 000006
【図５】
2006270412.tif 000007
【図６】
2006270412.tif 000008